(57)【要約】【課題】従来型ボールスクリュー循環部品の構造を簡素化すると共に、防塵を兼ねた機構を提供すること。【解決手段】ナット本体の内縁に循環部品に接近した嵌めリング溝を形成し、前記嵌めリング溝の中には、Ｃ型リテーナリングによって構成された固定式スクレーパを設け、且つ前記リテーナリングの外縁に、ナット本体の嵌めリング溝内にピッタリ嵌る軟質のカバー層を被せ、且つ前記カバー層の内縁にボールスクリューの転動ネジ溝に対応する螺旋型スクレープ部を形成することによって、固定式スクレーパが軟質カバー層の弾力作用によって循環部品をナット本体に固設し、更に螺旋型スクレープ部を利用して転動ネジ溝に対しかきとりを行い、防塵作用を兼ね備えさせる。【選択図】図３ｃ
2007247777.tif 000002
【特許請求の範囲】
【請求項１】
転動ネジ溝を有するボール・スクリューの上に、その内縁に対応する転動ネジ溝を有するナット本体をセットすると共に、前記ナット本体の転動ネジ溝端部に、循環部品を固設した循環通路を形成し、
前記ナット本体には、循環部品の外側に対応して、嵌めリング溝を形成し、前記嵌めリング溝の中に環状固定式スクレーパを設け、
前記固定式スクレーパは、Ｃ型形状のリテーナリングによって構成され、前記リテーナリングの外縁には、弾力作用を持つ軟質カバー層を被せ、且つ前記軟質カバー層両側面に挟まれた厚みを前記嵌めリング溝の幅より広くすることによって、前記固定式スクレーパを循環部品の側面に当接させて固定し、
前記軟質カバー層の内縁に、ボール・スクリュー転動ネジ溝に対応する螺旋型スクレープ部を形成し、且つ前記軟質カバー層は、螺旋型スクレープ部の側縁にボールスクリューの螺旋壁面及び外径に対応する弧形のスクレ−パ・エッジを形成したことを特徴とする、
ボール・スクリュー循環部品の位置決め防塵機構。
【請求項２】
前記ナット本体と循環部品の間には、位置決め作用を起こす少なくとも一個の固定式スクレーパを設けたことを特徴とする、請求項１に記載のボール・スクリュー循環部品の位置決め防塵機構。
【請求項３】
前記固定式スクレーパの軟質カバー層は、ゴムからなることを特徴とする、請求項１に記載のボール・スクリュー循環部品の位置決め防塵機構。
【発明の詳細な説明】
【技術分野】
【０００１】
本発明は、ボール・スクリュー循環部品の位置決め防塵機構（位置決め防塵機構装置）、特に、固定式スクレーパ部品を循環部品に緊迫させると共に、防塵機能を持たせた特殊設計によって、従来型循環部品の固定方式及びスクレーパの構造が複雑すぎる問題を解決し、且つ構造の簡素化を達成出来る、ボール・スクリュー循環部品の位置決め防塵機構に関するものである。
【背景技術】
【０００２】
ボール・スクリューは、極めて優れた運動性及び精密性を備えており、広く各種精密な移動を必要とする場合に応用されている。例えば、各種類の製造加工機具のサドル台など、又、その構造も微細化・簡素化の方向へ発展している。
【０００３】
従来のボール・スクリューは、主として、ボール・スクリュー及びその上に螺設されたナット本体によって構成される。ナット本体の両端にはそれぞれボールを導引して循環・流出させる循環部品が設けられている。前記循環部品は、固定構造によってナット本体の中に嵌めこまれており、一般的に、ボルトを主体とし、又、加工屑や埃・異物などがナット本体の中に入り込むのを避けるため、通常は、両端循環部品の片側にスクレーパ機構を設けて、ボール・スクリュー上の埃を取り除いている。
【０００４】
しかし、従来の構造では構成部品が多く、且つ複雑であり、加工作業が極めて難しいばかりでなく、組立てにおいても大変不便で、加工のコストアップを招いている。
【０００５】
また、他の方式で循環部品を固定する方法もある。例えば、図１及び図２に示すように、従来の主な構成特徴は、ナット本体６の内縁に転動ネジ溝６１を形成し、且つ転動ネジ溝６１の両端に循環部品６５を組み入れるための循環通路６２を形成したものである。
【０００６】
その特徴としては、前記ナット本体６の両端に対応する循環部品６５の外側に嵌めリング溝６３を形成すると共に、嵌めリング溝６３の中にＣ型リテーナリング７を取り付け、且つ嵌めリング溝６３の内縁とＣ型リテーナリング７の外縁両側壁面にそれぞれ対応するガイド斜面６４・７１（図２に示すように）を形成し、Ｃ型リテーナリング７が嵌めリング溝６３内にて緊迫し、更に循環部品６５を圧迫できるようにしてある。
【０００７】
その構成上の主な欠点は、前記Ｃ型リテーナリング７は材質及び加工精度の問題に制限されると共に、循環部品６５を完全に押さえつけることが出来ず、隙間７２が生じ、循環部品６５が揺動現象を起こす可能性があることである。
【０００８】
しかも、嵌めリング溝６３及びＣ型リテーナリング７のガイド斜面６４・７１の加工も容易ではなく、一方、ガイド斜面６４・７１の設計を省くと、固定性が一層弱くなる。従って、この構造の加工精度に対する要求は極めて高く、無形の内に製造及び組立ての難度が増える、
【０００９】
また、前述した特許の構造設計は、循環部品６５の固定方式のみに関してであり、異物又は加工屑がナット本体６の中に入り込むのを避けるためには、ナット本体６の両端及びこれに対応するボールスクリューの間に対して、別途に防塵機構を設計しなければならず、全体構造を完全に簡素化することは出来ない。
【００１０】
以上によって明らかなように、上述従来物品には尚幾多の欠点があり、良い設計とは言いがたく、改良が待たれていた。
【発明の開示】
【発明が解決しようとする課題】
【００１１】
本発明は、上述した従来型循環部品の位置決め防塵機構に派生する欠点に鑑みてなされたもので、本発明の目的とするところは、ボールスクリュー循環部品の構造を簡素化し、且つ組立てを容易にし、更に位置決めと防塵機能を兼ね備えた位置決め防塵機構を提供することにある。
本発明の次の目的は、循環部品に対応するナット本体の外側に嵌めリング溝を形成した位置決め防塵機構を提供することにある。
本発明のもう一つ別の目的は、Ｃ型形状を有するリテーナリングによって構成され、且つ前記リテーナリングの外縁には弾力作用を持つ軟質のカバー層を設けた位置決め防塵機構を提供することにある。
【課題を解決するための手段】
【００１２】
上述した課題を達成するため、本願の第１発明に係るボールスクリュー循環部品の位置決め防塵機構は、転動ネジ溝を有するボールスクリューの上に、前記転動ネジ溝と対応する内縁を持つナット本体を設け、且つナット本体の転動ネジ溝端部に循環通路を形成し、更に前記循環通路に循環部品を固設してある、前記構造は主として、
循環部品の外側に対応する嵌めリング溝を形成したナット本体と、
Ｃ型形状のリテーナリングによって構成され、前記リテーナリングの外縁に弾力作用を持つ軟質カバー層を設け、前記軟質カバー層の両側面に挟まれる厚みが嵌めリング溝の幅より広く、且つ前記軟質カバー層内縁にボールスクリューの転動ネジ溝に対応する螺旋型スクレープ部を設けた固定式スクレーパと、を含み、
前記固定式スクレーパは、嵌めリング溝の中へ嵌め込むことが出来、且つその一側面が循環部品に当接し、且つ軟質カバー層は螺旋型スクレープ部の一側縁にボールスクリューの螺旋壁面及び外径に対応する弧形スクレーパ・エッジを形成している。
また本願の第２発明に係るボールスクリュー循環部品の位置決め防塵機構は、前記第１発明において、前記ナット本体と循環部品の間には、位置決め作用を起こす少なくとも一個の固定式スクレーパを設けたことを特徴とする。
また本願の第３発明に係るボールスクリュー循環部品の位置決め防塵機構は、前記第１発明において、前記固定式スクレーパの軟質カバー層は、ゴムからなることを特徴とする。
【発明の効果】
【００１３】
本発明に係るボールスクリュー循環部品の位置決め防塵機構は、従来技術に比べて以下のような長所がある、
【００１４】
（１）固定性が優れている。
本発明のリテーナリング外縁にはフレキシブルな軟質カバー層を設けてあり、加工の寸法誤差を吸収できるので、加工精度を落とすことが出来、且つナット本体の嵌めリング溝内に充満して循環部品に対して緊迫した関係を生じさせるので、大幅にその固定性を向上させ、循環部品が任意に移動したり、緩むようなことを避ける事が出来る。
【００１５】
（２）防塵機能を兼ね備え、且つナット本体の長さを短縮することが出来る。
本発明は、循環部品を有効に固定できるほか、同時に内縁の螺旋型スクレープ部及び弧形スクレーパ・エッジを利用してボールスクリュー外径及び転動ネジ溝の底面に対してスクレープすることが出来、埃や異物がナット本体に入るのを防ぎ、防塵作用を兼ね備える目的を達成し、別途防塵機構を設置する必要がなく、ナット本体の長さを短縮することが出来る。
【００１６】
（３）構造の簡素化。
本発明は、単純に環状の固定式スクレーパによって循環部品を差し止め、且つ防塵機能を兼ね備えているので、別途組立て構造を設計する必要がなく、従って、効果的に全体の構造を簡素化でき、無形の内に製造及び組立てを一層容易にしている。
【００１７】
（４）付加価値のアップ
以上に述べたように、加工精度・構造の簡素化或いは製造組立ての容易さ等の面で、何れもコストダウンすることが出来る、従って、本発明は全体の付加価値を高め、経済効率を増進することが出来る。
【発明を実施するための最良の形態】
【００１８】
図３ａ乃至図３ｃ及び図４、図５を参照して説明する。
本発明が提供するボールスクリュー循環部品の位置決め防塵機構は、主として、ボールスクリューの上に螺旋状の転動ネジ溝１１を形成する。前記ボールスクリューには前記転動ネジ溝１１と対応する内縁を持つナット本体１をセットする。且つナット本体１の転動ネジ溝１１両端にそれぞれ循環部品２を固設することによって、ボール（図示せず）をボールスクリューとナット本体１の転動ネジ溝１１及び循環部品２の間で転動させて、ボールスクリューとナット本体１が相対的に滑動する目的を達成する。
【００１９】
以上述べた構造及び作動原理は、現存のものと同じであり、且つ本発明の特徴ではないので、此処では詳しい説明を省略する。
【００２０】
本発明の詳細な構成を図４乃至図６に基づいて説明する。
前記ナット本体１は、両端を固設した循環部品２の外側に嵌めリング溝１２を形成する。前記嵌めリング溝１２の循環部品２に近い壁面には少なくとも一本のリミット・ピン１３を形成する。且つ循環部品２の外側面にも少なくとも一本のリミット・ピン２１を形成してある。
【００２１】
又、前記嵌めリング溝１２内に循環部品２を緊迫することの出来る環状固定式スクレーパ３を設置してある。
前記環状体をなす固定式スクレーパ３は、Ｃ型形状のリテーナリング３１によって構成され、前記リテーナリング３１の外縁は弾力作用を持つ軟質カバー層３４で包囲されている。
【００２２】
前記軟質カバー層３４は、ゴム・プラスチックなどの材質からなり、前記固定式スクレーパ３の前記軟質カバー層３４の厚みをナット本体１の嵌めリング溝１２の幅よりやや厚くすることによって、前記固定式スクレーパ３を嵌めリング溝１２に入れたときに、嵌めリング溝１２内に緊迫する作用を生じる。
又、前記固定式スクレーパ３を嵌めリング溝１２内に固設すると、丁度その一側面によって循環部品２の側面に緊迫して当接して、循環部品２を安定させるために機能する。
【００２３】
又、図３ｃ及び図６を参照して説明する。
前記固定式スクレーパ３の軟質カバー層３４の内縁にボールスクリューの転動ネジ溝１１に対応する螺旋型スクレープ部３５を形成てし、前記転動ネジ溝１１をスクレープさせる。且つ前記固定式スクレーパ３の軟質カバー層３４は、螺旋型スクレープ部３５の一側縁において、ボールスクリューの螺旋壁面及び外径に対応する孤形スクレーパ・エッジ３６を形成して、前記孤形スクレーパ・エッジ３６がボールスクリューの螺旋壁面及び外径を効果的にスクレープできるようにしてある。
【００２４】
図３ａ及び図７を参照して説明する。
前記固定式スクレーパ３のリテーナリング３１に対応する両フリーエンドには、少なくとも二つのリミット穴３２，３３を形成する。その内の一方のリミット穴３２は循環部品２の外側面のリミット・ピン２１に対応し、もう一方のリミット穴３３はナット本体１の嵌めリング溝１２のリミット・ピン１３に対応する。これにより前記リミット・ピン１３，２１によって前記固定式スクレーパ３を固設することが出来る。
【００２５】
図５は、前記固定式スクレーパ３を嵌めリング溝１２に設置した第二実施例である。
前記嵌めリング溝１２の循環部品２に近い壁面には、別途固定穴１４を形成し、且つ前記循環部品２の外側面にも相対的に少なくとも一個の固定穴２２を形成することによって、前記固定式スクレーパ３のリテーナリング３１に両リミット穴３２，３３を、それぞれ循環部品２外側面の固定穴２２及びナット本体１の嵌めリング溝１２の固定穴１４に対応させる。
【００２６】
一方、固定式スクレーパ３のリミット穴３２，３３を循環部品２の固定穴２２に対応させ、更に前記リミット・ピン１５によって固定式スクレーパ３を位置決めすることで、その転動又は変位を防ぐことが出来る。
このようにして、位置決めに優れ、且つ防塵作用を兼ね備えたボールスクリュー循環部品の位置決め防塵機構を構成する。
【００２７】
図４乃至図６を基に上述した構造の設計によって、本発明を実施する場合を説明する。
循環部品２を固定する時は、前記循環部品２をナット本体１の転動ネジ溝１１両端の循環通路（図示せず）に設置し、且つＣ型リテーナリングを利用して前記固定式スクレーパ３両端のリミット穴を挟み付け、その外径を縮小する。
【００２８】
次に、前記固定式スクレーパ３をナット本体１の嵌めリング溝１２の中に入れ、且つ弾力的軟質カバー層３４によって嵌めリング溝１２にしっかり取り付けると共に、循環部品２に対しても強く押し付ける作用を生じさせ、その安定性を強める。
【００２９】
又、ナット本体１をボールスクリューに組み付ける時、前記固定式スクレーパ３のカバー層３４の螺旋型スクレープ部３５及び弧形スクレーパ・エッジ３６を、ボールスクリューの転動ネジ溝１１内の底面及び外径に対応して当接させ、防塵目的を達成することが出来る。
【００３０】
上述した説明は本発明の実施可能な形態の具体的説明に過ぎず、これらの実施例は本発明の特許請求範囲を制限するものではなく、凡そ本発明の技術思想を逸脱しない同等の効果が得せられる実施又は変更は、全て本発明に含まれるものである。
【図面の簡単な説明】
【００３１】
【図１】従来型ボールスクリューのナット本体斜視分解図である。
【図２】図１におけるＣ型リテーナリング及びナット本体の組み合わせ関係の部分拡大断面略図である。
【図３ａ】ボールスクリュー循環部品の固定式スクレーパの正面図である。
【図３ｂ】ボールスクリュー循環部品の固定式スクレーパの側断面略図である。
【図３ｃ】ボールスクリュー循環部品の固定式スクレーパの拡大略図である。
【図４】循環部品をナット本体に設置した相対関係の略図である。
【図５】循環部品をナット本体の位置決めピンに設置した位置決め略図である。
【図６】ボールスクリュー循環部品の位置決め防塵機構を実地運用した形態の断面略図である。
【図７】固定式スクレーパ及びナット本体組立て状態の略図である。
【符号の説明】
【００３２】
１・・・・・・ナット本体
１１・・・・・転動ネジ溝
１２・・・・・嵌めリング溝
１３・・・・・リミット・ピン
１４・・・・・固定穴
１５・・・・・位置決めピン
２・・・・・・循環部品
２１・・・・・リミット・ピン
２２・・・・・固定穴
３・・・・・・固定式スクレーパ
３１・・・・・リテーナリング
３２，３３・・リミット穴
３４・・・・・軟質カバー層
３５・・・・・螺旋型スクレープ部
３６・・・・・弧形スクレーパ・エッジ
６・・・・・・ナット本体
６１・・・・・転動ネジ溝
６２・・・・・循環通路
６３・・・・・嵌めリング溝
６４・・・・・ガイド斜面
６５・・・・・循環部品
７・・・・・・Ｃ型リテーナリング
７１・・・・・ガイド斜面
７２・・・・・隙間
【図１】
2007247777.tif 000003
【図２】
2007247777.tif 000004
【図３ａ】
2007247777.tif 000005
【図３ｂ】
2007247777.tif 000006
【図３ｃ】
2007247777.tif 000007
【図４】
2007247777.tif 000008
【図５】
2007247777.tif 000009
【図６】
2007247777.tif 000010
【図７】
2007247777.tif 000011